(57)【要約】【課題】台所や調理場の流し台、浴室、洗面所等の排水口から、残飯、食物片等の生ゴミや毛髪等が配水管に流れ込むのを防止すると共に、排水口付近や配管内のヌメリの除去や脱臭を行うことができる排水フィルターとして好適に使用しうるシートを提供する。【解決手段】有機溶剤にバインダー樹脂を溶解させ、次いで水に溶けて活性ハロゲンを発生する固形薬剤を溶解または分散させた処理液を調製し、該処理液を不織布に含浸させることにより、前記固形薬剤を不織布に固着させた排水フィルター用シートを得る。【選択図】　なし【特許請求の範囲】
【請求項１】
有機溶剤にバインダー樹脂を溶解させ、次いで水に溶けて活性ハロゲンを発生する固形薬剤を溶解または分散させた処理液を調製し、該処理液を不織布に含浸させることにより、前記固形薬剤を不織布に固着させたことを特徴とする排水フィルター用シート。
【請求項２】
水に溶けて活性ハロゲンを放出しうる固形薬剤が、塩素化イソシアヌル酸化合物である請求項１記載の排水フィルター用シート。
【請求項３】
水に溶けて活性ハロゲンを放出しうる固形薬剤が、ハロゲン化ヒダントイン化合物である請求項１記載の排水フィルター用シート。
【発明の詳細な説明】
【０００１】
【発明の属する技術分野】
この発明は、台所や調理場の流し台、浴室、洗面所等の排水口から、残飯、食物片等の生ゴミや毛髪等を捕集して配水管に流れ込むのを防止すると共に、排水口付近や配管内のヌメリの除去や脱臭を行うことができる排水フィルター用シートに関するものである。
【０００２】
【従来の技術】
排水フィルターとして、流し台の三角コーナーや、排水口に設置されている円筒形状のカゴに装着する水切り用袋が広く使用されている。
このような使い捨て型の水切り用袋は、水分を含む生ゴミと共に廃棄されるので、安価であって排水の流れを妨げず、且つ生ゴミや毛髪を捕集する機能が求められており、ポリプロピレン、ポリエチレン、ポリエステル、ナイロン等の不織布、ネット、孔を有するフィルム等を袋状に加工したものが知られている。
【０００３】
例えば、特開平５−１３２１０３号、同１１−９１９０２号公報には、不織布に複数の孔を設け、製袋して水切り袋としたものが開示されているが、この種の排水フィルターはゴミや毛髪等を捕集することはできるものの、排水口付近や配管内に発生するヌメリの除去や脱臭を行うことはできなかった。
【０００４】
このような問題点を解決するために、抗菌性を有する不織布を用いた水切り袋が提案されている。特開平１０−２８６４１４号公報には、抗菌剤としてキトサンを不織布に付着させ、水切り袋としたものが提案されている。また、特開平１１−２９２２０２号公報には、ベンズイミダゾール化合物、メルカプトピリジン−Ｎ−オキシド化合物、イソチアゾロン化合物、ベンゾチアゾール化合物もしくはベンゾチアゾロン化合物の銀塩、銅塩、亜鉛塩等の含窒素含硫黄有機化合物を抗菌剤として含有する抗菌防黴性水切り袋が提案されている。
しかしながら、上記の抗菌剤類は活性ハロゲンとは異なり、酸化力を有するものではないので、活性ハロゲンに比べて腐敗菌を殺滅する性能が乏しく、また腐敗菌が発生させる悪臭物質を分解することができない。
従って、上記抗菌剤類を含有させた不織布を水切り袋としたものを使用した場合には、不織布自体のヌメリは防止できるものの、排水口周辺のヌメリ取りや脱臭が満足すべきものではない。
【０００５】
また、特開平８−３０８９１８号公報には、固形の活性ハロゲン化剤を二枚の不織布の間に散布し熱融着した消臭シートが提案されているが、このようなシートを排水フィルターとして使用した場合には、不織布が活性ハロゲン化剤を挟んだ二重構造になるため水切り性が低下し、またコスト高を招くという問題がある。
【０００６】
【発明が解決しようとする課題】
この発明は、台所や調理場の流し台、浴室、洗面所等の排水口から、残飯、食物片等の生ゴミや毛髪等が配水管に流れ込むのを防止すると共に、排水口付近や配管内のヌメリの除去や脱臭を行うことができる排水フィルターとして好適に使用しうるシートを提供することを目的とする。
【０００７】
【課題を解決するための手段】
上記の課題を解決するために鋭意研究を重ねた結果、有機溶剤にバインダー樹脂を溶解させ、次いで水に溶けて活性ハロゲンを発生する固形薬剤を溶解または分散させた処理液を調製し、該処理液を不織布に含浸させて、前記固形薬剤を不織布に固着させた排水フィルター用シートとすることにより、所期の目的を達成しうることを見出し本発明を完成するに至ったものである。
【０００８】
【発明の実施の形態】
以下、本発明を詳細に説明する。
本発明で使用する水に溶けて活性ハロゲンを発生する固形薬剤としては、トリクロロイソシアヌル酸、ジクロロイソシアヌル酸ナトリウム等の塩素化イソシアヌル酸化合物、１−ブロモ−３−クロロ−５，５−ジメチルヒダントインや１，３−ジクロロ−５，５−ジメチルヒダントイン等のハロゲン化ヒダントイン化合物などが挙げられる。
【０００９】
これらの固形薬剤は、排水フィルター用シートの使用目的に合わせて適宜使い分けることができる。即ち、比較的高濃度の活性ハロゲンを発生させて短時間で排水口付近あるいは配管等のヌメリ取りや脱臭を行いたい場合には、溶解度の高いジクロロイソシアヌル酸ナトリウムが適している。また、比較的低濃度の活性ハロゲンを発生させて長時間に渡って効果を持続させたい場合には、溶解度の低いトリクロロイソシアヌル酸やハロゲン化ヒダントイン化合物が適している。
なお、前記固形薬剤は、粉末状または顆粒状のいずれの形状でも構わない。
【００１０】
水に溶けて活性ハロゲンを放出する固形薬剤の不織布への固着量は、不織布１ｍ２当たり１〜１５ｇの範囲が適しており、その固着量が１ｇ／ｍ２未満では、所要量の活性ハロゲンが発生せず、ヌメリ取りや脱臭効果が十分に発揮されない。また、固着量が１５ｇ／ｍ２より多い場合には、不織布の柔軟性が失われたり、ハロゲン臭が強くなったりするという問題がある。
【００１１】
本発明の実施に適する不織布は、耐ハロゲン性と耐有機溶剤性を備えたものであれば、どのような材質のものであっても構わないが、コストおよび入手のし易さの点で、ポリエステルやポリエステルとポリエチレンまたはポリプロピレンを混繊した複合型の不織布が好ましい。またゴミによる目詰まりを防止する点において、１０〜５０ｇ／ｍ２の目付を有するものが適している。
【００１２】
本発明に使用する有機溶剤は、バインダー樹脂を溶解し、不織布を膨潤または溶解せず、且つ固形薬剤と反応しないものであればどのような種類のもので差し支えないが、使用する不織布、バインダー樹脂および固形薬剤の種類により適宜使い分けられる。
具体的には、メタノール、エタノールなどのアルコール類、アセトン、メチルエチルケトンなどのケトン類、酢酸エチルなどのエステル類、ベンゼン、トルエンなどの芳香族炭化水素類などを使用することができる。
【００１３】
また本発明に使用するバインダー樹脂としては、ポリ酢酸ビニル樹脂や塩化ビニル樹脂が好適である。
ポリエステルやポリエステルとポリエチレンまたはポリプロピレンを混繊した複合型の不織布を使用する場合において、有機溶剤とバインダー樹脂の好ましい組み合わせは、メタノール／ポリ酢酸ビニル樹脂系やメチルエチルケトン／ポリ塩化ビニル樹脂系等が挙げられる。
【００１４】
バインダー樹脂の使用量は、処理液に対して０．１〜１０重量％の配合割合が好ましく、０．１重量％未満では、固形薬剤を不織布に十分に固着させることができない。また、１０重量％より多いと含浸後の不織布のしなやかさがなくなり、排水フィルターとして適さないものになる。
【００１５】
水に溶けて活性ハロゲンを発生する固形薬剤を不織布に固着させるには、予め有機溶剤にバインダー樹脂を溶解させた溶液に、前記固形薬剤を溶解あるいは分散させて調製した処理液を不織布を含浸させた後、乾燥させればよい。
また、上記処理液を不織布に含浸させる手段としては、処理液に不織布を浸漬しても良いし、処理液を不織布に噴霧しても構わない。
【００１６】
このようにして得られた不織布製シートを、流し台の三角コーナーや、排水口に設置されている円筒形状のカゴ、また風呂場や洗面台の排水口の形状に合わせて、切断、加工することにより、排水フィルターとして使用することができる。また、予め排水フィルターの形状に加工した不織布に前記の方法で固形薬剤を含浸させることも可能である。
【００１７】
【実施例】
以下、実施例および比較例によって本発明を詳細に説明するが、本発明はこれらの実施例に限定されるものではない。
なお、実施例および比較例において使用した原材料ならびに評価試験方法は、次の通りである。
【００１８】
［原材料］
▲１▼有機溶剤
・メチルエチルケトン（和光純薬工業社製試薬）
・メタノール（和光純薬工業社製試薬）
▲２▼バインダー樹脂
・ポリ塩化ビニル（日本ゼオン社製、商品名「１０３ＥＰ」）
・ポリ酢酸ビニル（和光純薬工業社製試薬、５０％メタノール溶液）
▲３▼水に溶けて活性ハロゲンを放出する固形薬剤
・トリクロロイソシアヌル酸（四国化成工業社製）
・ジクロロイソシアヌル酸ナトリウム塩（四国化成工業社製）
・ブロモクロロ−５，５−ジメチルヒダントイン（Ｇｒｅａｔ　Ｌａｋｅｓ　Ｃｈｅｍｉｃａｌ社製、商品名「ブロミサイド」）
▲４▼不織布
・シート（日本バイリーン社製、材質；ポリエステル、商品名「４０００ＣＲ」）
・台所排水口用水切り袋（市販品、材質；ポリエチレンテレフタレート／ポリエチレン＝５０％／５０％）
【００１９】
［固形薬剤の固着量の測定］
ビーカーに１００ｍｌの蒸留水と所定の面積に切断した不織布を入れ、これにヨウ化カリウムを添加して、酢酸酸性下でデンプン溶液を指示薬として、チオ硫酸ナトリウム標準溶液で滴定して塩素換算した活性ハロゲン量を測定した。この活性ハロゲン量を不織布単位面積当たりに換算して、固形薬剤の固着量（ｇ／ｍ２）として表した。
【００２０】
［ヌメリ取り試験および脱臭試験］
排水フィルターを台所流し台の排水口のヌメリが付着したストレーナーに取り付け、５日間に渡って１日毎の排水口周辺と配管内のヌメリの状況を指触により観察した。ヌメリが認められない状態を○、若干のヌメリが残っている状態を△、試験前と変わらない状態を×として判定した。
同様に１日毎の排水口周辺の臭気を嗅ぎ、脱臭効果が認められた状態を○、認められない状態を×と判定した。
【００２１】
〔実施例１〜３〕
表１に記載した原料および混合割合で、有機溶剤に固形薬剤およびバインダー樹脂を室温にて溶解または分散させた処理液を調製し、該処理液にシート状の不織布（４０００ＣＲ）を１分間浸漬し、取り出した後風乾した。
なお、トリクロロイソシアヌル酸は、メチルエチルケトンに溶解した。ジクロロイソシアヌル酸ナトリウム塩は、メタノールに溶解せず分散させた。ブロモクロロ−５，５−ジメチルヒダントインはメタノールに溶解した。
得られたシートについて測定した固形薬剤の固着量は、表１に示したとおりであった。
また、得られたシートを直径１６ｃｍ、縦２６ｃｍの袋状に加工して排水フィルターとし、該フィルターについてヌメリ取り試験および脱臭試験を行ったところ、得られた試験結果は表１に示した通りであった。なおこれらの試験期間中においては、残飯、食物片等の生ゴミ等が排水フィルターに良好に捕集されていた。
【００２２】
〔実施例４〜６〕
シート状のものの代わりに、不織布製台所排水口用水切り袋を使用した以外は、実施１〜３と同様にして、固形薬剤を前記水切り袋に固着させ、固形薬剤の固着量の測定とヌメリ取り試験および脱臭試験を行った。
得られた試験結果は、表１に示した通りであった。なおこれらの試験期間中においては、残飯、食物片等の生ゴミ等が排水フィルターに良好に捕集されていた。
【００２３】
〔比較例１〕
シート状の不織布（４０００ＣＲ）に固形薬剤を固着させることなく、実施例１〜３と同様にして袋状に加工して排水フィルターとし、ヌメリ取り試験および脱臭試験を行った。
得られた試験結果は、表１に示した通りであった。なおこれらの試験期間中においては、残飯、食物片等の生ゴミ等が排水フィルターに良好に捕集されていた。
【００２４】
【表１】
2004097935.tif 000002
【００２５】
表１の試験結果より、ヌメリ取り効果や脱臭効果の速効性を求める用途においては、排水フィルターに固着させる固形薬剤として、ジクロロイソシアヌル酸ナトリウム塩が適しており、また効果の持続性が要求される用途では、トリクロロイソシアヌル酸、ハロゲン化ヒダントイン化合物が適しているものと認められる。
なお、不織布として市販の水切り袋を使用した場合の固形薬剤の固着量が、シート状不織布「４０００ＣＲ」の場合に比べて少なくなっているが、この理由は、市販の水切り袋の目付がシート状不織布「４０００ＣＲ」に比べて少ないためと思われる。
【００２６】
【発明の効果】
本発明のシートは、水に溶けて活性ハロゲンを発生する固形薬剤を固着させているので、排水中の残飯、食物片等の生ゴミ等を捕集するだけでなく、排水口付近や配管内のヌメリ除去や脱臭を行うことができるので、台所や調理場の流し台、浴室、洗面所等の排水フィルターとして好適なものである。
また、使用後の排水フィルターをゴミ袋やゴミ容器の中へ廃棄した場合には、該フィルターに残存する薬剤から放出される活性ハロゲンが生ゴミの腐敗を防止し、またゴミ袋やゴミ容器内の悪臭物質を酸化分解することができるので、ゴミ袋やゴミ容器内の防臭脱臭ができるという利点がある。